(57)【要約】【課題】周辺機器への悪影響や遊技者への不快感を低減させる遊技機を提供することを目的とする。【解決手段】ベルユニット１７を、樹脂製の基台３３，導電体製の上蓋３４で構成する。基台３３の溝で、球を誘導する供給レール１３を構成し、供給レール１３に導電体製のベル１６を配設し、外枠Ｆによって蓋３４を接地した状態で形成する。パチンコ機の使用時では機構板１１は外枠Ｆに対して閉じており、それに伴って機構板１１内のベル１６と外枠Ｆ内の蓋３４とが常に電気的に接続しているので、供給レール１３を介して誘導された球がベル１６に接触することで、ベル１６が音を発生し、弾性体の板金３５によってベル１６に電気的に接続され、かつ外枠Ｆによって接地された蓋３４を介して、球が帯びている静電気を放電することができる。その結果、静電気による周辺機器への悪影響や遊技者への不快感を低減させることができる。【選択図】        図４
2004215766.tif 000002
【特許請求の範囲】
【請求項１】
所定部位まで遊技媒体を誘導する誘導路を備えた遊技機において、
導電体からなる第１導電部材と第２導電部材とを備え、
前記第１導電部材と、前記誘導路に誘導された前記遊技媒体とが接触するように構成するとともに、
前記第１導電部材と第２導電部材とを電気的に接続した状態で構成し、
前記第２導電部材を直接あるいは間接的に接地した状態で形成することを特徴とする遊技機。
【発明の詳細な説明】
【０００１】
【発明の属する技術分野】
本発明は、パチンコ機、スロットマシンあるいはコイン遊技機などの遊技機に関する。
【０００２】
【従来の技術】
この種の遊技機として一般的に知られているものに、例えばパチンコ機がある。このパチンコ機は、球が入賞口に入賞するなどの所定条件が成立することに基づいて、所定個数の球を遊技者に対して払い出すように構成されている。球の払出はパチンコ機の裏面に設けられる払出装置により実行され、この払出装置へは払い出すための球が誘導路の一部である供給通路を通して供給されるように構成されている。
【０００３】
【発明が解決しようとする課題】
しかしながら、球が静電気を帯びることがある。球が静電気を帯びた状態でパチンコ機に供給されて、例えばパチンコ機の上部から下部へと縦断する、または払い出す球（賞球）がないまま球が放置されてパチンコ機内部に滞留することなどに起因して、周辺機器に悪影響を及ぼしたり、遊技者に不快感を与えるという問題点がある。
【０００４】
本発明は、このような事情に鑑みてなされたものであって、周辺機器への悪影響や遊技者への不快感を低減させる遊技機を提供することを目的とする。
【０００５】
【課題を解決するための手段】
本発明は、このような目的を達成するために、次のような構成をとる。
すなわち、請求項１に記載の発明は、所定部位まで遊技媒体を誘導する誘導路を備えた遊技機において、導電体からなる第１導電部材と第２導電部材とを備え、前記第１導電部材と、前記誘導路に誘導された前記遊技媒体とが接触するように構成するとともに、前記第１導電部材と第２導電部材とを電気的に接続した状態で構成し、前記第２導電部材を直接あるいは間接的に接地した状態で形成することを特徴とするものである。
【０００６】
〔作用・効果〕請求項１に記載の発明によれば、所定部位まで遊技媒体は誘導路を介して誘導される。導電体からなる第１導電部材および第２導電部材のうち、第１導電部材と、誘導路に誘導された遊技媒体とが接触するように構成するとともに、第１導電部材と第２導電部材とを電気的に接続した状態で構成し、第２導電部材を直接あるいは間接的に接地した状態で形成しているので、誘導路を介して誘導された遊技媒体が第１導電部材に接触することで、第１導電部材に電気的に接続され、かつ接地された第２導電部材を介して、遊技媒体が帯びている静電気を放電することができる。その結果、周辺機器への悪影響や遊技者への不快感を低減させることができる。
【０００７】
なお、本明細書は、次のような遊技機に係る発明も開示している。
【０００８】
（１）請求項１に記載の遊技機において、前記第２導電部材を直接的に接地することを特徴とする遊技機。
【０００９】
（２）請求項１に記載の遊技機において、前記第２導電部材を間接的に接地することを特徴とする遊技機。
【００１０】
前記（１）の発明のように、第２導電部材を直接的に接地してもよいし、前記（２）の発明のように、第２導電部材を間接的に接地してもよい。第２導電部材を間接的に接地する場合には、第２導電部材に第３導電部材をさらに電気的に接続して、その第３導電部材を直接的に接地してもよい。また、第３導電部材に、第４導電部材，第５導電部材，…を順に電気的に接続して、最後に接続された導電部材を直接的に接地してもよい。
【００１１】
（３）請求項１、前記（１）、または前記（２）のいずれかに記載の遊技機において、前記第１導電部材および第２導電部材が互いに直接的に接触するように配設することで、第１導電部材と第２導電部材とを電気的に接続することを特徴とする遊技機。
【００１２】
（４）請求項１、前記（１）、または前記（２）のいずれかに記載の遊技機において、前記第１導電部材および第２導電部材の間に電気接続部を介在させて配設することで、第１導電部材と第２導電部材とを電気的に接続することを特徴とする遊技機。
【００１３】
第１導電部材と第２導電部材とを電気的に接続するには、例えば前記（３）の発明のように、第１導電部材および第２導電部材が互いに直接的に接触するように配設することで実現させてもよいし、前記（４）の発明のように、第１導電部材および第２導電部材の間に電気接続部を介在させて配設することで実現させてもよい。
【００１４】
（５）前記（４）に記載の遊技機において、前記電気接続部を前記第１導電部材側に配設することを特徴とする遊技機。
【００１５】
（６）前記（４）に記載の遊技機において、前記電気接続部を前記第２導電部材側に配設することを特徴とする遊技機。
【００１６】
また、前記（４）の発明のように、電気接続部を介在させて配設する場合には、前記（５）の発明のように、電気接続部を第１導電部材側に配設してもよいし、前記（６）の発明のように、電気接続部を第２導電部材側に配設してもよい。
【００１７】
（７）前記（４）から（６）のいずれかに記載の遊技機において、前記電気接続部は弾性体であることを特徴とする遊技機。
【００１８】
前記（７）の発明によれば、電気接続部が弾性体であるので、電気接続部を介して第１導電部材と第２導電部材との密着性をより高めることができる。その結果、遊技媒体が帯びている静電気をより簡易に放電することができる。
【００１９】
（８）請求項１、または前記（１）から（７）のいずれかに記載の遊技機において、前記誘導路の少なくとも一部を、前記第１導電部材で形成することで、第１導電部材と、誘導路に誘導された前記遊技媒体とが接触するように構成することを特徴とする遊技機。
【００２０】
（９）請求項１、または前記（１）から（７）のいずれかに記載の遊技機において、前記誘導路に前記第１導電部材を配設することで、第１導電部材と、誘導路に誘導された前記遊技媒体とが接触するように構成することを特徴とする遊技機。
【００２１】
第１導電部材と、誘導路に誘導された遊技媒体とが接触するように構成するには、例えば前記（８）の発明のように、誘導路の少なくとも一部を、第１導電部材で形成することで実現させてもよいし、前記（９）の発明のように、誘導路に第１導電部材を配設することで実現させてもよい。前記（８）の発明によれば、第１導電部材で形成された箇所に遊技媒体が誘導されると、第１導電部材と遊技媒体とが接触し、前記（９）の発明によれば、第１導電部材が配設された箇所に遊技媒体が誘導されると、第１導電部材と遊技媒体とが接触する。また、前記（９）の発明のように誘導路に第１導電部材を配設する場合には、下記（１０）の発明のように構成してもよい。
【００２２】
（１０）前記（９）に記載の遊技機において、前記遊技媒体が接触することにより音を発生する音発生手段の少なくとも一部を、前記誘導路に配設された前記第１導電部材で形成することを特徴とする遊技機。
【００２３】
前記（１０）の発明によれば、遊技媒体が接触することにより音を発生する音発生手段の少なくとも一部を、誘導路に配設された第１導電部材で形成しているので、遊技媒体が音発生手段に接触することで、音発生手段が音を発生し、音発生手段の少なくとも一部を形成している第１導電部材に電気的に接続され、かつ接地された第２導電部材を介して、遊技媒体が帯びている静電気を放電することができる。
【００２４】
（１１）請求項１、または前記（１）から（１０）のいずれかに記載の遊技機において、前記所定部位は、遊技者が前記遊技媒体を取り出す取出し口であって、前記誘導路は、前記取出し口まで遊技媒体を誘導するものであることを特徴とする遊技機。
【００２５】
誘導路について、例えば前記（１１）の発明のように構成することで、より効果的に、遊技者への不快感を低減させることができる。すなわち、前記（１１）の発明によれば、所定部位は、遊技者が遊技媒体を取り出す取出し口であって、誘導路を、取出し口まで遊技媒体を誘導するように構成することで、取出し口まで遊技媒体は誘導路を介して誘導され、誘導路を介して誘導された遊技媒体が第１導電部材に接触することで、第１導電部材に電気的に接続され、かつ接地された第２導電部材を介して、遊技媒体が帯びている静電気を放電することができる。その結果、取出し口の時点では遊技媒体は放電された直後であって、遊技者はその放電された遊技媒体を取り出すことができ、より効果的に、遊技者への不快感を低減させることができる。
【００２６】
また、前記（１１）の発明が前記（１０）の発明に従属されている場合には、前記（１０）の発明と前記（１１）の発明とをまとめて、下記（１２）の発明のように要約することができる。
【００２７】
（１２）前記（１１）に記載の遊技機において、前記遊技媒体が接触することにより音を発生する音発生手段の少なくとも一部を、前記誘導路に配設された前記第１導電部材で形成することを特徴とする遊技機。
【００２８】
さらに前記（１２）の発明の場合には、下記（１３）の発明のように、遊技媒体を払い出す払出手段と、取出し口との間に、音発生手段を配設するのが好ましい。
【００２９】
（１３）前記（１２）に記載の遊技機において、遊技媒体を払い出す払出手段と、前記取出し口との間に、前記音発生手段を配設することを特徴とする遊技機。
【００３０】
前記（１３）の発明によれば、払い出し手段と取出し口との間に音発生手段を配設するので、配設箇所が取出し口に、より近くなる。従って、より一層効果的に、遊技者への不快感を低減させることができる。
【００３１】
（１４）前記（１３）に記載の遊技機において、前記遊技媒体が誘導される方向に対して、より下流側に、前記音発生手段を前記取出し口側に配設することを特徴とする遊技機。
【００３２】
より一層効果的に、遊技者への不快感を低減させる点において、前記（１４）の発明のように、遊技媒体が誘導される方向に対して、より下流側に、音発生手段を取出し口側に配設するのがさらに好ましい。
【００３３】
（１５）請求項１、または前記（１）から（１４）のいずれかに記載の遊技機において、前記誘導路の少なくとも一部、第１導電部材、および第２導電部材をユニット形成することを特徴とする遊技機。
【００３４】
前記（１５）の発明によれば、誘導路の少なくとも一部、第１導電部材、および第２導電部材をユニット形成しているので、遊技媒体が接触する第１導電部材を、接地された部材にアース線でアース接続して、球が帯びている静電気を放電させる手法と比較すると、放電させるためのアース線が必要でなくなる。従って、遊技機を保守する際にアース線が邪魔になる、アース線が接地された部材などに絡む、アース線が断線するなどを防止することができる。
【００３５】
（１６）前記（１５）に記載の遊技機において、前記遊技機は、固定した枠体と、それに対して開閉可能に構成された機構板とを備え、前記機構板に前記誘導路を配設し、前記第２導電部材を前記枠体によって接地した状態で形成し、前記機構板が前記枠体に対して閉じるときに、前記第１導電部材と第２導電部材とが電気的に接続され、前記誘導路の少なくとも一部、第１導電部材、および第２導電部材をユニット形成することを特徴とする遊技機。
【００３６】
また、誘導路の少なくとも一部、第１導電部材、および第２導電部材を形成するユニットを、例えば前記（１６）のように構成してもよい。前記（１６）の発明によれば、固定した枠体と、それに対して開閉可能に構成された機構板とを備え、機構板に誘導路を配設し、第２導電部材を枠体によって接地した状態で形成しているので、機構板が枠体に対して閉じると、閉じようとすることで機構板に配設された誘導路が枠体に対して近づいて、その結果、第１導電部材と第２導電部材とが電気的に接続され、誘導路の少なくとも一部、第１導電部材、および第２導電部材をユニット形成することができる。
【００３７】
（１７）請求項１、または前記（１）から（１６）のいずれかに記載の遊技機において、前記遊技機はパチンコ機であることを特徴とする遊技機。
【００３８】
前記（１７）の発明によれば、周辺機器への悪影響や遊技者への不快感を低減させることができる遊技機を提供することができる。なお、パチンコ機の基本構成としては操作ハンドルを備え、その操作ハンドルの操作に応じて球を所定の遊技領域発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３９】
（１８）請求項１、または前記（１）から（１６）のいずれかに記載の遊技機において、前記遊技機はスロットマシンであることを特徴とする遊技機。
【００４０】
前記（１８）の発明によれば、周辺機器への悪影響や遊技者への不快感を低減させることができるスロットマシンを提供することができる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【００４１】
（１９）請求項１、または前記（１）から（１６）のいずれかに記載の遊技機において、前記遊技機はパチンコ機とスロットマシンとを融合させたものであることを特徴とする遊技機。
【００４２】
前記（１９）の発明によれば、周辺機器への悪影響や遊技者への不快感を低減させることができる、パチンコ機とスロットマシンとを融合させたものを提供することができる。なお、この融合させたものの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されている遊技機」となる。
【００４３】
【発明の実施の形態】
以下、図面を参照して本発明の実施例を説明する。
本実施例では、遊技機の一例として弾球遊技機の一種であるパチンコ機、特に、第１種パチンコ遊技機を用いて説明する。なお、本発明を第３種パチンコ遊技機（権利物とも呼ばれる）や、コイン遊技機、スロットマシン等の他の遊技機に用いることは、当然に可能である。
【００４４】
図１は、本実施例のパチンコ機の概略正面図であり、図２はパチンコ機の遊技盤の概略正面図である。本実施例のパチンコ機Ｐは、図１に示すように、遊技盤１と、球を貯留する上受け皿２および下受け皿３と、球を遊技盤１へ発射するための発射ハンドル４とを備えている。遊技盤１は、前面枠１ａに嵌め込まれたポリカーボネート製の透明板１ｂに覆われている。上受け皿２は、本発明における取出し口に相当する。
【００４５】
図２に示すように、遊技盤１の周囲には、球が入賞することにより５個から１５個の球が払い出される複数の普通入賞口５が設けられている。また、遊技盤１の中央には、複数種類の識別情報としての図柄等を表示する液晶ディスプレイ（以下単に「ＬＣＤ」と略す）６が設けられている。このＬＣＤ６の表示画面は、例えば、縦方向に３分割されており、つまり、左列，中列，右列の３列で構成されており、３分割された各列の表示領域において、それぞれ上から下へ垂直方向にスクロールしながら図柄の変動表示が行われる。
【００４６】
ＬＣＤ６の上方には、表面に「○」と「×」との普通図柄が表示された２つのＬＥＤ（発光ダイオード）９ａ，９ｂで構成された普通図柄表示装置９が配設されている。この普通図柄表示装置９では、遊技領域に打ち込まれた球がＬＣＤ６の両側に配設されたゲート１０を通過した場合に、「○」と「×」とのＬＥＤ９ａ，９ｂを交互に点灯させる変動表示が行われる。かかる変動表示が「○」のＬＥＤ９ａで終了した場合には、当りとなってＬＣＤ６の下方の普通電動役物７が所定時間（例えば０．５秒間）二点鎖線で示すように開放され、この普通電動役物７に球が入り易くなる。
【００４７】
ＬＣＤ６の下方に配設された普通電動役物７には、図柄作動口（第１種始動口）７ａが設けられ、球がこの図柄作動口７ａを通過することにより、前記したＬＣＤ６の変動表示が開始される。図柄作動口７ａの下方には、特定入賞口（大入賞口）８が設けられている。この特定入賞口８は、ＬＣＤ６の変動後の表示結果が予め定められた図柄の組み合わせの１つと一致する場合に、大当たりとなって、球が入賞しやすいように所定時間（例えば、３０秒経過するまで、あるいは、球が１０個入賞するまで）開放される入賞口である。
【００４８】
この特定入賞口８内には、Ｖゾーン８ａが設けられており、特定入賞口８の開放中に、球がＶゾーン８ａ内を通過すると、継続権が成立して、特定入賞口８の閉鎖後、再度、その特定入賞口８が所定時間（又は、特定入賞口８に球が所定個数入賞するまで）開放される。この特定入賞口８の開閉動作は、最高で１６回（１６ラウンド）繰り返し可能にされており、開閉動作の行われ得る状態が、いわゆる所定の遊技価値が付与された状態（特別遊技状態）である。
【００４９】
なお、第３種パチンコ遊技機において所定の遊技価値が付与された状態（特別遊技状態）とは、ＬＣＤ６の変動後の表示結果が予め定められた図柄の組み合わせの１つと一致する場合に、特定入賞口が所定時間開放されることをいう。この特定入賞口の開放中に、球がその特定入賞口内へ入賞すると、特定入賞口とは別に設けられた大入賞口が所定時間、所定回数開放される。
【００５０】
次に、パチンコ機Ｐの背面の構造について、図３を参照して説明する。図３は、パチンコ機の概略背面図である。パチンコ機Ｐの背面は、図３に示すように、遊技盤１の背後にある機構板１１からなる。この機構板１１は、後述する供給レール１３や払出ユニットＳやベル１６などの機械装置類や、主制御基板Ｃや払出制御基板Ｈなどのような制御基板が組み付けられた組立体から構成される。また、機構板１１は、固定した外枠Ｆ内に配設され、この外枠Ｆに対して開閉可能に構成される。なお、パチンコ機Ｐ正面については、前面枠１ａ（図１参照）も、外枠Ｆ内に配設されており、この外枠Ｆに対して開閉可能に構成される。外枠Ｆは、本発明における枠体に相当する。
【００５１】
機構板１１の上部には、パチンコ機Ｐの外部にある遊技場（ホール）から球を供給して、その球を貯留するタンク１２が配設されている。機構板１１の上部から下部へは、払出ユニットＳに球を供給して、その払出ユニットＳから上受け皿２（図１参照）に球を払い出すための供給レール１３が、背面からみて機構板１１の右端の部分を通るように配設されている。すなわち、いわゆる『コの字』状になるように供給レール１３は配設されている。また、最上流にタンク１２に連通接続し、最下流に上受け皿２（図１参照）に連通接続するように供給レール１３は構成されている。供給レール１３は、本発明における誘導路に、払出ユニットＳは、本発明における払出手段にそれぞれ相当する。
【００５２】
この供給レール１３には、タンク１２と払出ユニットＳとの間に、上流側から順に、透過型のフォトセンサなどから構成されるタンク空スイッチ１４，および球抜きを制御する球抜きクランク１５が配設されているとともに、払出ユニットＳと上受け皿２（図１参照）との間に、ベル１６などを配設した筐体状のベルユニット１７が配設されている。ベル１６は、本発明における音発生手段に相当する。ベル１６およびベルユニット１７の具体的構成については後述する。
【００５３】
タンク空スイッチ１４は、球の有無を検出するスイッチであって、供給レール１３内を通る球がこのタンク空スイッチ１４を通過すると、光が遮断されてＯＦＦとなり、球がこのタンク空スイッチ１４を通過しないと、光が受信されてＯＮとなる透過型のフォトセンサからなる。
【００５４】
球抜きクランク１５は球抜きボタン１８に接続されており、球抜きクランク１５の下には球抜き通路１９は、球抜きボタン１８を介して、供給レール１３に連通接続されている。球抜きボタン１８を押下することで、球抜きクランク１５が開いて供給レール１３から球が球抜き通路１９へ通過して球抜きが行われ、球抜きボタン１８を再度押下することで、球抜きクランク１５が閉じて供給レール１３から球が球抜き通路１９へ通過せずに球抜きが停止する。
【００５５】
『コの字』状に配設された供給レール１３に挟まれるように、各制御基板が機構板１１に組み付けられている。本実施例では、機構板１１の上部から下部へ順に、表示用制御基板をカバーしたカバー部材２０，後述する主制御基板Ｃ、および払出制御基板Ｈなどが配設される。
【００５６】
次に、パチンコ機Ｐの電気的構成について、図６を参照して説明する。図６は、パチンコ機の電気的構成を示したブロック図である。パチンコ機Ｐは、大別すると、図６に示すように、パチンコ機Ｐの遊技内容の制御を行う主制御基板Ｃ、賞球や貸球の払出制御を行う払出制御基板Ｈ、電源基板５０などから構成されるとともに、図示を省略するが、その他にＬＣＤ６（図２参照）の表示画面に表示される図柄の変動表示を制御する表示用制御基板、効果音の出力を制御する効果音制御基板、ランプの点灯を制御するランプ制御基板から構成される。
【００５７】
パチンコ機Ｐの主制御基板Ｃは、演算装置であるワンチップマイコンとしてＭＰＵ２１が搭載されている。このＭＰＵ２１には、そのＭＰＵ２１により実行される各種の制御プログラムなどを記憶したＲＯＭ２２と、そのＲＯＭ２２内に記憶される制御プログラムの実行に当って各種のデータ等を一時的に記憶するためのメモリであるＲＡＭ２３などが内蔵されている。
【００５８】
主制御基板Ｃは、入出力ポート（図示省略）を介して、払出制御基板Ｈに双方向通信可能に接続されている。その他、主制御基板Ｃは、入出力ポート（図示省略）を介して、複数の普通入賞スイッチ２４、第１種始動口スイッチ２５、Ｖカウントスイッチ２６、１０カウントスイッチ２７、電源基板５０などに接続されている。
【００５９】
複数の普通入賞スイッチ２４は、遊技盤１に設けられた複数の普通入賞口５へ入賞した球をそれぞれ検出するためのスイッチであり、各普通入賞口５の入口近傍に設けられている。第１種始動口スイッチ２５は、図柄作動口（第１種始動口）７ａを通過した球を検出するためのスイッチであり、図柄作動口７ａの近傍に設けられている。普通入賞スイッチ２４のいずれかまたは第１種始動口スイッチ２５によって球が検出されると、主制御基板Ｃから払出制御基板Ｈへ賞球の払出に関するコマンドが送信され、払出制御基板Ｈによって５個の賞球が払い出される。
【００６０】
Ｖカウントスイッチ２６は、特定入賞口８内のＶゾーン８ａへ入賞した球を検出するためのスイッチである。また、１０カウントスイッチ２７は、特定入賞口８内のＶゾーン８ａ以外へ入賞した球を検出するためのスイッチである。Ｖカウントスイッチ２６または１０カウントスイッチ２７により球が検出されると、主制御基板Ｃから払出制御基板Ｈへ賞球の払出に関するコマンドが送信され、払出制御基板Ｈによって１５個の賞球が払い出される。
【００６１】
払出制御基板Ｈは、賞球や貸球の払出制御を行うものであり、演算装置であるワンチップマイコンとしてＭＰＵ２８が搭載されている。ＭＰＵ２８には、そのＭＰＵ２８により実行される制御プログラムなどを記憶したＲＯＭ２９と、ワークメモリ等として使用されるＲＡＭ３０などが内蔵されている。
【００６２】
払出制御基板Ｈは、入出力ポート（図示省略）を介して、上述した主制御基板Ｃに接続されている。その他、払出制御基板Ｈは、入出力ポート（図示省略）を介して、上述したタンク空スイッチ１４、球抜きクランク１５、払出ユニットＳに搭載された払出モータ３１および賞球カウントスイッチ３２、電源基板５０などに接続されている。
【００６３】
賞球カウントスイッチ３２は、払出モータ３１によって払い出された賞球を検出するためのスイッチであり、払出モータ３１とともに払出ユニットＳに搭載されている。払出モータ３１は、賞球を払い出すためのモータである。払出モータ３１の駆動は、払出制御基板Ｈによって制御される。
【００６４】
主制御基板ＣのＲＡＭ２３あるいは払出制御基板ＨのＲＡＭ２９には、賞球を払い出すべき賞球数が記憶された賞球払出カウンタ（図示省略）が備わっており、賞球払出カウンタに記憶された賞球数は、賞球カウントスイッチ３２が賞球を検出するたびに、賞球払出カウンタの値を『１』ずつ減算する。賞球払出カウンタの値が『０』になったときに払い出すべき賞球がなくなったとして、払出モータ３１を停止させる。そうでないときには、払出モータ３１は駆動したままである。
【００６５】
主制御基板ＣのＲＡＭ２３および払出制御基板ＨのＲＡＭ２９は、バックアップエリア（図示省略）をそれぞれ備えており、これらのＲＡＭ２３，２９には、パチンコ機Ｐの電源オフ後においても、電源基板５０からバックアップ電圧が供給されており、データを保持（バックアップ）できるように構成されている。
【００６６】
次に、ベル１６およびベルユニット１７の具体的構成について、図４，図５を参照して説明する。図４，図５は、ベルユニットを右前方から視た斜視図であって、図４は、機構板が外枠に対して開いているときの斜視図であって、図５は、機構板が外枠に対して閉じているときの斜視図である。なお、ベルユニット１７は供給レール１３の一部、ベル１６、および蓋３４などを包含しており、言い換えれば、供給レール１３の一部、ベル１６、および蓋３４などをベルユニット１７としてユニット形成している。
【００６７】
ベルユニット１７は、図４，図５に示すように、基台３３，蓋３４からなる筐体部材で構成されており、基台３３は蓋３４に対して開閉可能に構成されている。すなわち、基台３３は、機構板１１内に配設されているとともに、蓋３４は、外枠Ｆ内に配設されており、上述したように、機構板１１を外枠Ｆに対して開閉可能に構成することで、基台３３は固定された蓋３４に対して開閉可能に構成される。従って、機構板１１が外枠Ｆに対して開いているときには、基台３３が蓋３４に対して開いている状態であって、図４に示すような形態となり、機構板１１が外枠Ｆに対して閉じているときには、基台３３が蓋３４に対して閉じている状態であって、図５に示すような形態となる。なお、機構板１１が外枠Ｆに対して開いているときには、基台３３，機構板１１と蓋３４，外枠Ｆとは互いに平行とは実際にはならずに、ドアのように所定の角度で開いた形態となっているが、図示の便宜上、図４ではこれらを平行に表す。
【００６８】
基台３３は、全体が樹脂で形成されているとともに、蓋３４は、全体がカーボンなどに代表される導電体で形成されている。また、蓋３４は、外枠Ｆによって接地されている。
【００６９】
基台３３には、球１個分が十分に通行可能の幅を有する溝が設けられており、この溝によってベルユニット１７内の供給レール１３が構成され、ベルユニット１７以外の供給レール１３が、ベルユニット１７内の供給レール１３に連通接続されるようにベルユニット１３は機構板１１に嵌め込まれる。また、ベルユニット１７内の供給レール１３の側壁部分にはベル１６が配設されている。このベル１６の配設位置は、上受け皿２（図１参照）まで供給される球がベルユニット１７内に接触する位置となる。つまり、球が上受け皿２まで誘導される際にベルユニット１７内を通過し、球がベル１６に接触することにより音を発生する。ベル１６は、全体が金属などに代表される導電体で構成されている。
【００７０】
また、機構板１１が外枠Ｆに対して閉じることで、基台３３が蓋３４に対して閉じて、ベル１６も蓋３４に対して閉じるが、このベル１６と蓋３４とが閉じているときに両者が電気的に接続するように弾性体の板金３５を、図４に示すようにベル１６側に配設する。また、ベル１６が蓋３４に対して閉じているときに、両者が面接触となるようにベル１６を有底円筒形に構成し、底の部分に板金３５を配設する。なお、板金３５は、必ずしも弾性体に限定されず、単なる板状の部材であってもよいが、板金３５を介してベル１６と蓋３４との密着性をより高めるという点において、弾性体で構成されている方が好ましい。また、板金３５は、単一の導電体のみならず、複数の導電体が互いに接触して構成された導電体も含む。
【００７１】
ベル１６は、上述したように本発明における音発生手段に相当するが、本発明における第１導電部材にも相当する。また、蓋３４は、本発明における第２導電部材に、板金３５は、本発明における電気接続部にそれぞれ相当する。
【００７２】
一般に、パチンコ機Ｐの場合には遊技場（ホール）に単体として存在しているわけでなく、図７に示すように、遊技場Ｈに複数台のパチンコ機Ｐが並設されている。また、球は循環式で供給されるようになっており、各パチンコ機Ｐのタンク１２（図３参照）に球を供給するための供給レーン６０が複数本に分岐されて、各々のパチンコ機Ｐの上部にそれぞれが配設される。球がパチンコ機Ｐのタンク１２に供給されると、図３に示すように、球の自重によって上受け皿２（図１参照）に払い出されるので、機構板１１の上部から下部へと球が誘導される。また、球抜き通路１９（図３参照）についても、球の自重によって機構板１１の上部から下部へと誘導されて、パチンコ機Ｐの下部へと排出される。排出された球は、図７に示すように、排出レーン６１へ誘導されて、再度に供給レーン６０へ循環される。
【００７３】
供給レーン６０がパチンコ機Ｐの上部に、排出レーン６１がパチンコ機Ｐの下部にそれぞれ配設されるので、供給レーン６０と排出レーン６１とをつなぐ通路には、図示を省略するベルトが配設されており、供給レーン６０へ球が循環する際には、このベルトがパチンコ機Ｐの下部にある排出レーン６１内の球を挟み込んで、下部から上部へと引き上げて、パチンコ機Ｐの上部にある供給レーン６０に供給する。
【００７４】
ベルトが球を挟み込むことで、球には静電気が帯電し、タンク１２（図３参照）の段階で、静電気を帯びた状態で球が供給される。また、供給レール１３（図３参照）に球が通過する際に球が供給レール１３やベル１６に接触することで新たに静電気が発生する恐れがある。
【００７５】
このように静電気を帯びた状態で球が供給されて供給レール１３を通って、パチンコ機Ｐの上部から下部へと縦断する、または賞球がないまま球が放置されてパチンコ機Ｐ内部に滞留すると、主制御基板Ｃ，払出制御基板Ｈ、電源基板５０など（図３参照）の周辺機器に悪影響を及ぼしたり、上受け皿２（図１参照）に遊技者が球を取り出す際に遊技者に不快感を与えるという問題点がある。
【００７６】
そこで、上述したパチンコ機Ｐの構成によれば、遊技者が球を取り出す上受け皿２（図１参照）まで、球は供給レール１３を介して誘導されて供給される。導電体からなるベル１６（第１導電部材）および蓋３４（第２導電部材）のうち、金属などの導電体からなるベル１６と、供給レール１３に誘導された球とが接触するように構成するとともに、ベル１６と、カーボンなどの導電体からなる蓋３４とを電気的に接続するように構成している。さらに、蓋３４を接地した状態で形成しているので、供給レール１３を介して誘導された球がベル１６に接触することで、ベル１６に電気的に接続され、かつ接地された蓋３４を介して、球が帯びている静電気を放電することができる。その結果、周辺機器への悪影響や遊技者への不快感を低減させることができる。
【００７７】
なお、蓋３４を直接的に接地してもよいし、蓋３４を間接的に接地してもよい。蓋３４を間接的に接地する場合には、蓋３４に、本発明における第３導電部材をさらに電気的に接続して、その第３導電部材を直接的に接地してもよい。また、第３導電部材に、第４導電部材，第５導電部材，…を順に電気的に接続して、最後に接続された導電部材を直接的に接地してもよい。
【００７８】
また、本実施例では、第１導電部材であるベル１６と第２導電部材である蓋３４とを電気的に接続するのに、板金３５をベル１６側に配設し、ベル１６および蓋３４の間に板金３５（電気接続部）を介在させて配設することで実現させている。また、本実施例では、介在されている板金３５が弾性体であるので、板金３５を介してベル１６と蓋３４との密着性をより高めることができる。その結果、球が帯びている静電気をより簡易に放電することができる。
【００７９】
また、本実施例では、ベル１６と、供給レール１３に誘導された球とが接触するように構成するのに、供給レール１３（の側壁部分）にベル１６を配設することで実現させている。従って、ベル１６が配設された箇所に球が誘導されると、ベル１６と球とが接触する。
【００８０】
また、本実施例では、球が接触することにより音を発生する、本発明における音発生手段に相当するベル１６を、本発明における第１導電部材である金属で形成しているので、球がベル１６に接触することで、ベル１６が音を発生し、ベル１６に電気的に接続され、かつ接地された蓋３４を介して、球が帯びている静電気を放電することができる。
【００８１】
また、供給レール１３は、上受け皿２まで球を誘導するように構成しているので、上受け皿２まで球は供給レール１３を介して誘導され、供給レール１３を介して誘導された球がベル１６に接触することで、ベル１６に電気的に接続され、かつ接地された蓋３４を介して、球が帯びている静電気を放電することができる。その結果、上受け皿２の地点では球は放電された直後であって、遊技者はその放電された球を取り出すことができ、より効果的に、遊技者への不快感を低減させることができる。
【００８２】
さらに、図３に示すように、払出ユニットＳと上受け皿２との間にベル１６も含めてベルユニット１７を配設しているので、配設箇所が上受け皿２に、より近くなる。従って、より一層効果的に、遊技者への不快感を低減させることができる。なお、より一層効果的に、遊技者への不快感を低減させる点において、球が誘導される方向に対して、より下流側に、ベル１６も含めてベルユニット１７を上受け皿２側に配設するのが好ましい。
【００８３】
また、本実施例では、これら供給レール１３の一部、ベル１６、および蓋３４などをベルユニット１７としてユニット形成しているので、球が接触するベル１６を、接地された外枠Ｆや機構板１１にアース線でアース接続して、球が帯びている静電気を放電させる手法と比較すると、放電させるためのアース線が必要でなくなる。従って、パチンコ機Ｐを保守する際に、例えばベル１６が蓋３４に対して開いているとき、すなわち機構板１１が外枠Ｆに対して開いているときでも、アース線が邪魔になる、アース線が機構板１１や外枠Ｆに絡む、アース線が断線するなどを防止することができる。
【００８４】
また、本実施例では、パチンコ機Ｐは、固定した外枠Ｆと、それに対して開閉可能に構成された機構板１１とを備え、機構板１１に供給レール１３を配設し、蓋３４を外枠Ｆによって接地した状態で形成しているので、機構板１１が外枠Ｆに対して閉じると、閉じようとすることで機構板１１に配設された供給レール１３が外枠Ｆに対して近づいて、その結果、ベル１２と蓋３４とが電気的に接続され、供給レール１３の一部、ベル１６、および蓋３４などをベルユニット１７としてユニット形成することができる。
【００８５】
また、パチンコ機Ｐを保守するときと相違し、パチンコ機Ｐを使用するときには、機構板１１は外枠Ｆ内に取り付けられ、すなわち機構板１１は外枠Ｆに対して閉じており、それに伴って基台３３の溝で構成された供給レール１３に配設されたベル１６と、蓋３４とは常に電気的に接続しているので、いつでも放電可能の状態にある。
【００８６】
本発明は、上記実施形態に限られることはなく、下記のように変形実施することができる。
【００８７】
（１）上述した実施例では、パチンコ機Ｐを使用するときと相違し、パチンコ機Ｐを保守するときには、機構板１１は外枠Ｆに対して開いており、それに伴って基台３３の溝で構成された供給レール１３に配設されたベル１６と蓋３４とは電気的に接続していなかったが、パチンコ機Ｐを保守するときにおいてもベル１６（第１導電部材）と、蓋３４（第２導電部材）とが常に電気的に接続されていてもよい。つまり、パチンコ機Ｐの使用状況に関わらず、第１導電部材と第２導電部材とが常に電気的に接続されていてもよいし、上述した実施例のように、パチンコ機Ｐを使用するときのみ、すなわち機構板１１は外枠Ｆに対して閉じたときのみ、第１導電部材と第２導電部材とが電気的に接続されていてもよい。
【００８８】
（２）上述した実施例では、基台３３を樹脂で、ベル１６や板金３５を金属で、蓋３４をカーボンでそれぞれ構成したが、上記材料に限定されないのは言うまでもない。例えば、ベル１６や蓋３４を導電体で構成するのであれば、ベル１６をカーボンで、蓋３４を金属でそれぞれ構成してもよい。また、基台３３，ベル１６，蓋３４について、全体を各同じ材料で構成したが、一部のみを別の材料で構成してもよい。例えば、球に帯びている静電気を放電させるという課題を解決するには、ベル１６や蓋３４について、全体を導電体で構成する必要はなく、一部のみを導電体，残りを半導体や絶縁体で構成してもよい。この場合には、球に対するベル１６の接触部分のみを導電体（本発明における第１導電部材）で構成し、板金３５に対する蓋３４の接触部分のみを導電体（本発明における第２導電部材）で構成すればよい。
【００８９】
（３）上述した実施例では、本発明における電気接続部に相当する板金３５を、本発明における第１導電部材に相当するベル１６側に配設したが、板金３５を、本発明における第２導電部材に相当する蓋３４側に配設してもよい。また、電気接続部は、上述したように弾性体のような板金３５に限定されない。
【００９０】
さらに、第１導電部材と第２導電部材とを電気的に接続するのに、必ずしも電気接続部を介在させる必要はない。第１導電部材および第２導電部材が互いに直接的に接触するように配設することで、第１導電部材と第２導電部材とを電気的に接続してもよい。例えば、図８に示すように、ベル１６の先端側（有底円筒形の底側）に突起部１６ａを一体的に形成して配設し、ベル１６（第１導電部材）が蓋３４（第２導電部材）に対して閉じる際に、この突起部１６ａと第２導電部材とが接触することで、ベル１６および蓋３４を電気的に接続してもよい。ただ、点接触となるので、第１導電部材と第２導電部材との密着性を鑑みれば、面状の導電部材を電気接続部または第１導電部材として、第１導電部材と第２導電部材とを電気的に接続するのが好ましい。
【００９１】
（４）上述した実施例では、供給レール１３にベル１６を配設し、そのベル１６を本発明における第１導電部材で形成したが、ベル１６に代表される音発生手段を供給レール１３に配設する必要はない。例えば、本実施例では樹脂で形成された基台３３全体、もしくは供給レール１３部分の箇所における基台３３の一部を、導電体で形成し、この基台３３と蓋３４とが面接触するように構成してもよい。供給レール１３を包含する基台３３は、本発明における第１導電部材に相当する。
【００９２】
この場合には、基台３３全体または基台３３の一部を導電体で形成する如何に関わらず、基台３３の供給レール１３部分は、導電体で形成されることになって、導電体で形成された箇所（ベルユニット１７内）に球が誘導されると、基台３３の供給レール１３（第１導電部材）と球とが接触する。そして、面接触された蓋３４（第２導電部材）を介して、球が帯びている静電気を放電することができる。
【００９３】
（５）上述した実施例では、本発明における誘導路は供給レール１３であったが、図３に示す球抜き通路１９であってもよい。すなわち、球抜き通路１９に誘導される球と、第１導電部材とが接触するように構成するとともに、第１導電部材と第２導電部材とを電気的に接続した状態で構成し、第２導電部材を接地した状態で形成することで、本発明を球抜き通路１９に適用することになる。球抜き通路１９の場合には上受け皿２には直接誘導されないが、球抜き通路１９の周辺に主制御基板Ｃや払出制御基板Ｈや電源基板５０などの周辺機器がある場合には、本発明を球抜き通路１９に適用することで、より効果的に、周辺機器への悪影響を低減させることができる。
【００９４】
（６）本発明を上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【００９５】
なお、スロットマシンは、例えばコインを投入して図柄有効ラインを決定させた状態で操作レバーを操作することにより図柄が変動され、ストップボタンを操作することにより図柄が停止されて確定されるものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、あるいは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
【００９６】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【００９７】
【発明の効果】
以上の説明から明らかなように、本発明によれば、第１導電部材と、誘導路に誘導された遊技媒体とが接触するように構成するとともに、第１導電部材と第２導電部材とを電気的に接続した状態で構成し、第２導電部材を直接あるいは間接的に接地した状態で形成しているので、誘導路を介して誘導された遊技媒体が第１導電部材に接触することで、第１導電部材に電気的に接続され、かつ接地された第２導電部材を介して、遊技媒体が帯びている静電気を放電することができ、周辺機器への悪影響や遊技者への不快感を低減させることができる。
【図面の簡単な説明】
【図１】本発明の実施例のパチンコ機の概略正面図である。
【図２】パチンコ機の遊技盤の概略正面図である。
【図３】パチンコ機の概略背面図である。
【図４】本実施例に係る機構板が外枠に対して開いているときのベルユニットを右前方から視た斜視図である。
【図５】本実施例に係る機構板が外枠に対して閉じているときのベルユニットを右前方から視た斜視図である。
【図６】パチンコ機の電気的構成を示したブロック図である。
【図７】遊技場に複数台のパチンコ機を設置する形態の一例を示す概略斜視図である。
【図８】変形例に係るベルの概略図である。
【符号の説明】
２  …  上受け皿
３  …  機構板
１３  …  供給レール
１６  …  ベル
１７  …  ベルユニット
３４  …  蓋
３５  …  板金
Ｆ  …  外枠
【図１】
2004215766.tif 000003
【図２】
2004215766.tif 000004
【図３】
2004215766.tif 000005
【図４】
2004215766.tif 000006
【図５】
2004215766.tif 000007
【図６】
2004215766.tif 000008
【図７】
2004215766.tif 000009
【図８】
2004215766.tif 000010